(57)【要約】【課題】  ヒータを反射板に簡単に固定させ、内部構成を簡潔にする装着部を有する調理装置を提供する。【解決手段】  キャビネットと、前記キャビネット内に装着される少なくとも一つのヒータと、上面に載せられた調理物が調理されるように、前記キャビネットの上面に配置されるグリル部と、前記ヒータの後方に放射される熱を反射させるために、前記ヒータの後部に装着される少なくとも一つの反射板と、前記ヒータを弾性変形により前記反射板に装着するための少なくとも一つの弾性装着部とを含む。【選択図】  図２
2004305706.tif 000002
【特許請求の範囲】
【請求項１】
キャビネットと、
前記キャビネット内に装着される少なくとも一つのヒータと、
上面に載せられた調理物が調理されるように、前記キャビネットの上面に配置されるグリル部と、
前記ヒータの後方に放射される熱を反射させるために、前記ヒータの後部に装着される少なくとも一つの反射板と、
前記ヒータを弾性変形により前記反射板に装着するための少なくとも一つの弾性装着部とを含んでなることを特徴とする調理装置。
【請求項２】
前記弾性装着部は、前記反射板に固定される固定端及び弾性遊動可能な自由端を有する少なくとも１対の弾性支持片を含み、前記ヒータは前記弾性支持片対の自由端の弾性変形により前記弾性支持片対の自由端間に弾性支持されることを特徴とする請求項１に記載の調理装置。
【請求項３】
前記弾性支持片の自由端は、前記ヒータの上側部及び下側部を支持するために、弾性変形されることを特徴とする請求項２に記載の調理装置。
【請求項４】
前記弾性支持片の自由端は、前記ヒータの上側部及び下側部が所定程度だけ挿入され定着されるように、ヒータ定着部を有することを特徴とする請求項３に記載の調理装置。
【請求項５】
前記弾性装着部は、前記反射板に固定される一つの固定端及び弾性遊動可能な二つの自由端を有する少なくとも一つの弾性支持片を含み、前記ヒータは前記自由端の弾性変形により前記自由端間に弾性支持されることを特徴とする請求項１に記載の調理装置。
【請求項６】
前記弾性支持片の自由端は、前記ヒータの上側部及び下側部を支持するために、弾性変形されることを特徴とする請求項５に記載の調理装置。
【請求項７】
前記弾性支持片の自由端は、前記ヒータが前記弾性装着部から除去されることを防止するために、前記自由端で対向するようにそれぞれ延長される延長部と有し、前記弾性支持片の固定端は、前記ヒータを堅く支持するために、前記ヒータの背面を支持するように突出した支持部を有することを特徴とする請求項６に記載の調理装置。
【請求項８】
前記ヒータの後部には電源端子が設けられることを特徴とする請求項１に記載の調理装置。
【請求項９】
キャビネットと前記キャビネット内に装着された多数のヒータを有する調理装置において、
上面に載せられた調理物が調理されるように、前記キャビネット内に配置されるグリル部と、
前記ヒータの後方に放射される熱を反射させるために、前記ヒータの後部に装着される多数の反射板と、
前記各ヒータを弾性変形により前記各反射板に装着するための多数の弾性装着部とを含んでなることを特徴とする調理装置。
【請求項１０】
前記各弾性装着部は、前記反射板に固定される固定端及び弾性遊動可能な自由端を有する少なくとも１対の弾性支持片を含み、前記各ヒータは前記弾性支持片対の自由端の弾性変形により前記弾性支持片対の自由端間に弾性支持されることを特徴とする請求項９に記載の調理装置。
【請求項１１】
前記弾性支持片の自由端は、前記ヒータを支持するために、弾性変形されることを特徴とする請求項１０に記載の調理装置。
【請求項１２】
前記弾性支持片の自由端は、前記ヒータの多数部が挿入され定着されるように、ヒータ定着部を有することを特徴とする請求項１１に記載の調理装置。
【請求項１３】
前記各弾性装着部は、前記反射板に固定される一つの固定端及び弾性遊動可能な二つの自由端を有する少なくとも一つの弾性支持片を含み、前記各ヒータは前記自由端の弾性変形により前記自由端間に弾性支持されることを特徴とする請求項９に記載の調理装置。
【請求項１４】
前記弾性支持片の自由端は、前記ヒータの多数部をそれぞれ支持するために、弾性変形されることを特徴とする請求項１３に記載の調理装置。
【請求項１５】
前記弾性支持片の自由端は、前記ヒータが前記弾性装着部から除去されることを防止するために、前記自由端で対向するようにそれぞれ延長される延長部と有し、前記弾性支持片の固定端は、前記ヒータを堅く支持するために、前記ヒータの背面を支持するように突出した支持部を有することを特徴とする請求項１４に記載の調理装置。
【請求項１６】
前記ヒータに電源を供給するために、前記ヒータの後部には電源端子が設けられることを特徴とする請求項９に記載の調理装置。
【請求項１７】
前記自由端と前記固定端は単一片に一体的に形成されることを特徴とする請求項１３に記載の調理装置。
【請求項１８】
前記支持部は前記自由端及び前記固定端と一体的に形成され、前記自由端と前記固定端間に位置することを特徴とする請求項１５に記載の調理装置。
【発明の詳細な説明】
【技術分野】
【０００１】
本発明は調理装置に係り、より詳しくはヒータ装着部に関するものである。
【背景技術】
【０００２】
肉類及び肉加工食品はグリルに載せ、加熱して調理することが味によいので、一般的に広く愛用されている調理方式である。
【０００３】
かかるグリル部を用いる従来の調理装置は、キャビネットと、前記キャビネットの内部両側に配置されるセラミックヒータと、調理物が載せられるように、前記キャビネットの上側に配設されるグリル部と、前記セラミックヒータに対応して、前記セラミックヒータの後方に放射される熱を前記グリル部側に反射させるために、前記セラミックヒータの後方に設けられる反射板とからなる。
【０００４】
前記セラミックヒータは、その背面中央で突設された突出部を有する。前記セラミックヒータに入る電源線は前記突出部を介して前記セラミックヒータに連結される。反射板は前記突出部が挿入される収容孔を有し、前記突出部のエッジには、板状のクリップを収容するために、クリップ溝が形成され、前記クリップ溝に挿入されたクリップを前記反射板に固定するために、リーフスプリングが弾力的に配置されるので、前記セラミックヒータを前記反射板に装着することができる。
【０００５】
しかし、このような従来の調理装置は、前記反射板とセラミックヒータを固定させるための固定構造が複雑であるため、調理装置の生産及び組立にあまり長い時間がかかる。
【０００６】
また、従来の調理装置はキャビネットの後面を介して外部電源に連結される構成を有する。この際、電源線をキャビネットの両側まで長く延長させるため、調理装置の組立工程および内部構成が複雑である問題点があった。
【発明の開示】
【発明が解決しようとする課題】
【０００７】
したがって、本発明はこのような問題点を解決するためになされたもので、その目的はヒータを反射板に簡単に固定させ、内部構成を簡潔にする装着部を有する調理装置を提供することにある。
【課題を解決するための手段】
【０００８】
前記のような目的を達成するために、本発明は、キャビネットと、前記キャビネット内に装着される少なくとも一つのヒータと、上面に載せられた調理物が調理されるように、前記キャビネットの上面に配置されるグリル部と、前記ヒータの後方に放射される熱を反射させるために、前記ヒータの後部に装着される少なくとも一つの反射板と、前記ヒータを弾性変形により前記反射板に装着するための少なくとも一つの弾性装着部とを含んでなる調理装置を提供する。
【０００９】
前記弾性装着部は、前記反射板に固定される固定端及び弾性遊動可能な自由端を有する少なくとも１対の弾性支持片を含み、前記ヒータは前記弾性支持片対の自由端の弾性変形により前記弾性支持片対の自由端間に弾性支持される。
【００１０】
前記弾性支持片の自由端は、前記ヒータの上側部及び下側部を支持するために、弾性変形される。
【００１１】
前記弾性支持片の自由端は、前記ヒータの上側部及び下側部が所定程度だけ挿入され定着されるように、ヒータ定着部を有する。
【００１２】
前記弾性装着部は、前記反射板に固定される一つの固定端及び弾性遊動可能な二つの自由端を有する少なくとも一つの弾性支持片を含み、前記ヒータは前記自由端の弾性変形により前記自由端間に弾性支持される。
【００１３】
前記弾性支持片の自由端は、前記ヒータの上側部及び下側部を支持するために、弾性変形される。
【００１４】
前記弾性支持片の自由端は、前記ヒータが前記弾性装着部から除去されることを防止するために、前記自由端で対向するようにそれぞれ延長される延長部と有し、前記弾性支持片の固定端は、前記ヒータを堅く支持するために、前記ヒータの背面を支持するように突出した支持部を有する。
【００１５】
前記ヒータの後部には電源端子が設けられる。
【発明の効果】
【００１６】
前記のような本発明によると、簡単な構造でヒータを組立及び生産することができるので、調理装置の組立時間の短縮による組立生産性が向上する。また、ヒータ装着部及び電源線が簡単な方式で取り付けられるので、簡潔な内部構成を有する。
【発明を実施するための最良の形態】
【００１７】
以下、本発明の一実施例を添付図面に基づいて詳細に説明する。
図１は本発明の一実施例による調理装置の分解斜視図、図２は図１の調理装置の特徴部であるヒータ部を分離して示す斜視図である。
【００１８】
同図に示すように、本実施例による調理装置１００は、キャビネット１０と、前記キャビネット１０の内部の両側に配置され、後面部に電源端子１１ａが配設される二つのセラミックヒータ１１と、調理物の載せられるように、前記キャビネット１０の上側に配置されるグリル部１２と、前記セラミックヒータ１１に対応して、前記セラミックヒータ１１の後方に放射される熱を前記グリル部１２側に反射させるために、前記セラミックヒータ１１の後部に設けられる反射板１３（図２）と、前記セラミックヒータ１１の上端及び下端を弾性支持して前記反射板１３に固定させるために、上側弾性支持片２０及び下側弾性支持片３０からなる多数の弾性装着部と、前記グリル部１２の上部を覆うカバー１４とを含んでなる。
【００１９】
前記において、調理装置１００の後面側に連結される外部電源線１５を簡潔に構成するために、セラミックヒータ１１の後端側に電源端子１１ａが配設される。
【００２０】
図３は図２の線III−IIIについての断面図である。図３に基づいて本発明の特徴部をより詳細に説明する。図３に示すように、前記弾性装着部は、前記反射板１３に固定される固定端２１及び弾性で遊動可能な自由端２２を有する１対の弾性支持片２０、３０からなる。前記１対の弾性支持片２０、３０の両自由端２２、３２は前記セラミックヒータ１１の上端及び下端を弾性支持する。図示のように、前記１対の弾性支持片２０、３０の自由端２２、３２は前記セラミックヒータ１１の上端及び下端が挿着されるヒータ定着部２３、３３を有し、前記セラミックヒータ１１は前記１対の弾性支持片２０、３０の両自由端２２、３２間で前記ヒータ定着部２３、３３に挿着されて弾性支持される。
【００２１】
図４Ａ及び図４Ｂは前記のような１対の弾性支持片２０、３０を有する弾性装着部に前記セラミックヒータ１１を装着する方法を示す。まず、作業者は、図４Ａに示すように、前記セラミックヒータ１１の下側弾性支持片３０のヒータ定着部３３に前記セラミックヒータ１１の下端を挿入し、下方に所定の力を加えることにより、前記セラミックヒータ１１の上端が前記上側弾性支持片２０に干渉しないようにする。その後、前記セラミックヒータ１１の上端を矢印方向に前記反射板１３側に所定角度だけ押し込んだ後、前記下側弾性支持片３０に加えている力を解除すると、前記下側弾性支持片３０の上方への弾性反発力により、前記セラミックヒータ１１の上端が前記上側弾性支持片２０のヒータ定着部２３に挿着されることにより、図４Ｂに示すように、前記セラミックヒータ１１が前記反射板１３に簡単に定着される。
【００２２】
図５は弾性装着部のほかの実施例を示すもので、セラミックヒータが固定された状態を示す。
同図に示すように、前記弾性装着部は、前記反射板１３に固定される固定端４１と弾性遊動可能な二つの自由端４２、４３を有し、前記セラミックヒータ１１は前記二つの自由端４２、４３間に弾性支持されている。この際、前記二つの自由端の端部は、前記セラミックヒータ１１の離脱を防止するために、対応して延長する延長部４２ａ、４３ａを有し、前記固定端４１は、前記セラミックヒータ１１の支持のために、前記セラミックヒータの背面を支持するように突設される支持部４１ａを有することにより、図３に示す弾性装着部のヒータ定着部の役割をする。このような弾性装着部が適用された調理装置を組み立てる場合においても、図３及び図４に基づいて説明した作業順にしたがって行うとよい。
【図面の簡単な説明】
【００２３】
【図１】本発明の一実施例による調理装置の分解斜視図である。
【図２】図１の調理装置の特徴部を分離して示す斜視図である。
【図３】図２の線III−IIIについての断面図である。
【図４Ａ】図３のセラミックヒータが装着される前の状態を示す断面図である。
【図４Ｂ】図３のセラミックヒータが装着された後の状態を示す断面図である。
【図５】本発明のほかの実施例による弾性装着部の断面図である。
【符号の説明】
【００２４】
１０  本体
１１セラミックヒータ
１１ａ  電源端子
１２  グリル部
１３  反射板
１４  カバー
１５  外部電源線
２０  上側弾性支持片
２１  固定端
２２  自由端
２３  ヒータ定着部
３０  下側弾性支持片
３２  自由端
３３  ヒータ定着部
４１  固定端
４１ａ  支持部
４２、４３  自由端
４２ａ、４３ａ  延長部
１００  調理装置
【図１】
2004305706.tif 000003
【図２】
2004305706.tif 000004
【図３】
2004305706.tif 000005
【図４Ａ】
2004305706.tif 000006
【図４Ｂ】
2004305706.tif 000007
【図５】
2004305706.tif 000008